(57)【要約】【課題】外部から気体吸入部への湯水の浸入を抑えることができるシャワーヘッドを提供すること。【解決手段】気泡含有水を生成する気泡含有水生成部３、及び気泡含有水を吐出する散水部４を有するヘッド本体２と、このヘッド本体２を内部に収納するシャワーケース６０とを備えたシャワーヘッド１である。ヘッド本体２の気泡含有水生成部３とシャワーケース６０との間に、気体が流通する気体流通路５が形成され、気泡含有水生成部３には、気体取込口６を有する気体吸入部７が形成され、気体取込口６は気体流通路５に臨み、気泡含有水生成部３において気体取込口６から気体流通路５の気体を取り込み湯水に混入する。気体吸入部７は筒状に形成され、その先端に気体取込口６が設けられ、気体取込口６の周縁の気体吸入部７の先端部には、外方に突出する突起５４が設けられている。【選択図】図１
2015112145.tif 000002
【特許請求の範囲】
【請求項１】
湯水の導入時に減圧により吸引した気体を気泡として湯水中に混入して気泡含有水を生成する気泡含有水生成部、及びこの気泡含有水生成部により生成した気泡含有水を吐出する散水部を有するヘッド本体と、
このヘッド本体を内部に収納するシャワーケースとを備え、
前記ヘッド本体の前記気泡含有水生成部と前記ヘッドカバーとの間に、気体が流通する気体流通路が形成され、前記気泡含有水生成部には、気体取込口を有する気体吸入部が形成され、前記気体取込口は前記気体流通路に臨み、前記気泡含有水生成部において前記気体取込口から前記気体流通路の気体を取り込み湯水に混入するシャワーヘッドであって、
前記気体吸入部は筒状に形成され、その先端に前記気体取込口が設けられ、前記気体取込口の周縁の前記気体吸入部の先端部には、外方に突出する突起が設けられていることを特徴とするシャワーヘッド。
【発明の詳細な説明】
【技術分野】
【０００１】
本発明は、気泡が湯水に混入した気泡含有水を吐出するシャワーヘッドに関する。
【背景技術】
【０００２】
気泡が湯水に混入した気泡含有水を吐出するシャワーヘッドを備えたシャワー装置として特許文献１では次のとおりのシャワー装置を提案している。すなわち、特許文献１記載のシャワー装置は、シャワーヘッドカバーと、このシャワーヘッドカバー内に配置され、シャワーホースから供給された湯水が導入される通水路形成部と、この通水路形成部より導かれた湯水の流路を絞るオリフィス形成部材とを備える。さらに、このオリフィス形成部材により流路が絞られた湯水の流れに、空気を混合させる空気混合部と、この空気混合部により空気が混合された湯水を吐出させる複数の散水孔が設けられた散水部とを備える。オリフィス形成部材は、通水路形成部と空気混合部の間に挟まれることにより固定されている。また、通水路形成部と空気混合部の結合部には、オリフィス形成部材によって流路が絞られた湯水の流れに空気を導入する通水路空気導入孔（気体吸入部）が設けられている。
【０００３】
このようなシャワー装置では、シャワーホースから供給された湯水は、通水路形成部の内部に導入され、オリフィス形成部材によりその流路が絞られる。流路が絞られた湯水は、空気混合部の内部で、通水路の中に導入された空気と混合される。空気が混合された湯水は、散水部に設けられた散水孔から吐出される。
【先行技術文献】
【特許文献】
【０００４】
【特許文献１】特開２０１１−１６７２８６号公報
【発明の概要】
【発明が解決しようとする課題】
【０００５】
上記のシャワー装置は、他のシャワーヘッドと同様に、使用に伴って通水路空気導入孔に湯水が外部から浸入し、水成分中のカルシウムなどに起因する水垢などで通水路空気導入孔が詰まって気泡含有水の生成が阻害されるという問題が指摘される。
【０００６】
本発明は、以上のとおりの事情に鑑みてなされたものであり、外部から気体吸入部への湯水の浸入を抑えることができるシャワーヘッドを提供することを課題としている。
【課題を解決するための手段】
【０００７】
上記の課題を解決するために、本発明のシャワーヘッドは、湯水の導入時に減圧により吸引した気体を気泡として湯水中に混入して気泡含有水を生成する気泡含有水生成部、及びこの気泡含有水生成部により生成した気泡含有水を吐出する散水部を有するヘッド本体と、このヘッド本体を内部に収納するシャワーケースとを備え、前記ヘッド本体の前記気泡含有水生成部と前記ヘッドカバーとの間に、気体が流通する気体流通路が形成され、前記気泡含有水生成部には、気体取込口を有する気体吸入部が形成され、前記気体取込口は前記気体流通路に臨み、前記気泡含有水生成部において前記気体取込口から前記気体流通路の気体を取り込み湯水に混入するシャワーヘッドであって、前記気体吸入部は筒状に形成され、その先端に前記気体取込口が設けられ、前記気体取込口の周縁の前記気体吸入部の先端部には、外方に突出する突起が設けられていることを特徴とする。
【発明の効果】
【０００８】
本発明のシャワーヘッドによれば、外部から気体吸入部への湯水の浸入を抑えることができる。
【図面の簡単な説明】
【０００９】
【図１】本発明のシャワーヘッドの一実施形態を示した長さ方向の断面図である。
【図２】（ａ）は図１に示したシャワーヘッドの正面側の斜視図であり、（ｂ）は図１に示したシャワーヘッドの背面側の斜視図であり、（ｃ）は（ａ）のシャワーヘッドのＡ−Ａ線断面図である。
【図３】図１に示したシャワーヘッドにおけるヘッド本体の気泡含有水生成部を構成する気液混合部材の斜視図である。
【図４】図１に示したシャワーヘッドにおけるカバー部材の取付状態を説明するためのシャワーヘッドの要部断面図であり、（ａ）はカバー部材で開口部が閉塞されている状態を示し、（ｂ）は開口部が開放されている状態を示す。
【図５】図１に示したシャワーヘッドにおけるカバー部材の取付状態を説明するためのシャワーヘッドの背面側の要部斜視図であり、（ａ）はカバー部材で開口部が閉塞されている状態を示し、（ｂ）は開口部が開放されている状態を示す。
【発明を実施するための形態】
【００１０】
図１は、本発明のシャワーヘッドの一実施形態を示した長さ方向の断面図である。図２（ａ）は図１に示したシャワーヘッドの正面側の斜視図であり、図２（ｂ）は図１に示したシャワーヘッドの背面側の斜視図であり、図２（ｃ）は図２（ａ）のシャワーヘッドのＡ−Ａ線断面図である。図３は、図１に示したシャワーヘッドにおけるヘッド本体の気泡含有水生成部を構成する気液混合部材の斜視図である。図４は、図１に示したシャワーヘッドにおけるカバー部材の取付状態を説明するためのシャワーヘッドの要部断面図であり、（ａ）はカバー部材で開口部が閉塞されている状態を示し、（ｂ）は開口部が開放されている状態を示す。図５も、図４と同様、図１に示したシャワーヘッドにおけるカバー部材の取付状態を説明するためのシャワーヘッドの背面側の要部斜視図であり、（ａ）はカバー部材で開口部が閉塞されている状態を示し、（ｂ）は開口部が開放されている状態を示す。
【００１１】
本明細書において、「表面」とは、気泡含有水を吐出する「正面側の面」を指し、「裏面」とは「背面側の面」を指す。
【００１２】
シャワーヘッド１は、ヘッド本体２と、シャワーケース６０とを備える。
【００１３】
ヘッド本体２は、湯水の導入時に減圧により吸引した気体を気泡として湯水中に混入して気泡含有水を生成する気泡含有水生成部３、及びこの気泡含有水生成部３により生成した気泡含有水を吐出する散水部４を有する。シャワーケース６０は、ヘッド本体２を内部に収納する。
【００１４】
ヘッド本体２の気泡含有水生成部３とシャワーケース６０との間に、気体が流通する気体流通路５が形成されている。気泡含有水生成部３には、気体取込口６を有する気体吸入部７が形成され、気体取込口６は気体流通路５に臨む。気泡含有水生成部３において気体取込口６から気体流通路５の気体を取り込み湯水に混入する。
【００１５】
そして、シャワーケース６０には、気体吸入部７の気体取込口６と対向する部分に、内外に貫通する開口部６３が設けられている。
【００１６】
具体的には、ヘッド本体２は、縦長形状を有する本体１０と、本体の長さ方向の基端側（上流側）に接続可能とされた気液混合部材２０とを備えている。気液混合部材２０は、気泡含有水生成部３を構成する。さらに、ヘッド本体２は、本体の長さ方向の先端部の正面側に取り付け可能とされたヘッドカバー３０と、ヘッドカバー３０の裏面に取り付け可能とされた散水プレート４０とを備えている。ヘッドカバー３０と散水プレート４０が、散水部４を構成する。
【００１７】
シャワーヘッド１は、正面側シャワーケース６１および背面側シャワーケース６２からなるシャワーケース６０内に、ヘッドカバー３０の表面が露出するようにヘッド本体２が収納されて構成されている。シャワーケース６０は、たとえば、硬質の樹脂などから形成可能である。
【００１８】
本体１０では、その内部に、長さ方向に延び断面が円形である湯水の第１導入流路１１が形成されている。本体１０の正面側には、表面１８に開口を有して第１導入流路１１と連通する流出孔１２が設けられている。第１導入流路１１は、本体の長さ方向上流側に入口１３を有する。本体１０には、第１導入流路１１の入口１３付近に気液混合部材２０が設けられている。
【００１９】
流出孔１２周辺の本体１０の表面１８には、表面１８から突出する支持部１４が複数形成されている。支持部１４は、円柱状の形状を有している。支持部１４は、散水プレート４０を保持する押さえ部として機能し、散水プレート４０を安定して保持可能なように、複数の支持部１４は突出高さが略均一とされている。このような本体１０は、たとえば、硬質の樹脂などから形成可能である。
【００２０】
気液混合部材２０では、その内部に、湯水を導入して第１導入流路１１の入口１３に送出する、断面が円形である第２導入流路２１が形成されている。第２導入流路２１は、入口２２側に、内径が第２導入流路２１の長さ方向に急激に減少する加圧部２４を有し、出口２３側に、加圧部２４に連通し、出口２３に向かって内径が漸増する減圧部２５を有している。また、第２導入流路２１では、出口２３が、第１導入流路１１の入口１３と一致し、第２導入流路２１は第１導入流路１１と連通している。このような気液混合部材２０は、硬質の樹脂などで形成可能である。
【００２１】
気液混合部材２０は、円筒状の気体導入管５０を有する。気体導入管５０は、第２導入流路２１における加圧部２４と減圧部２５の接続部付近において、第２導入流路２１に直交するように設けられている。気体導入管５０は、内部に、空気などの気体の通気路５１を有しており、通気路５１は断面が円形形状を有している。
【００２２】
気体導入管５０は、先端に気体取込口６となる通気路５１の入口５２を有し、第２導入流路２１の最も近くに配置された部分に通気路５１の出口５３を有している。
【００２３】
気体取込口６の周縁の気体導入管５０の先端部には、外方に突出する笠状形状の突起５４が設けられている。図３に示すように、突起５４は、気体導入管５０の円筒周面５５から径方向に突出して形成されており、断面が円形であり、気体導入管５０の先端に向かうにしたがって径が小さくなる外形形状を有している。突起５４の外側面５６は先端側から基端側に向かって直線的な勾配を有している。
【００２４】
シャワーヘッド１の使用に伴って正面側シャワーケース６１と背面側シャワーケース６２のケース合わせ面等から湯水や石鹸水などがシャワーケース６０内部に浸入することがある。シャワーケース６０内部に浸入した湯水や石鹸水などがヘッド本体２の外側面を伝い、気液混合部材２０の気体導入管５０の円筒周面５５において基端側から先端側へと向かって流れてくることがある。たとえば、図４（ａ）はカバー部材７０の取付状態を説明するためのシャワーヘッドの要部断面図であるが、ヘッド本体２の外側面を伝い湯水や石鹸水などが流れてくることがある。このようなとき、気体導入管５０は筒状に形成されて周囲に空間が形成されているため、湯水や石鹸水などはこの空間に流れ込み、気体取込口６への浸入が阻まれる。またこの空間に流れ込んだ湯水や石鹸水などは、図４（ａ）において矢印Ａに示す方向に湯水や石鹸水などが流れてくることがある。このようなとき、気体導入管５０の先端部には、気体導入管５０の円筒周面５５から径方向に突出する突起５４が設けられているので、気体導入管５０の円筒周面５５を伝う湯水や石鹸水などの流れが突起５４によって阻害される。つまり、気体導入管５０の基端側からの湯水や石鹸水などの気体取込口６への浸入が阻まれる。また、ケース合わせ面等から浸入した湯水や石鹸水などがシャワーケース６０の内側面を伝い、気体導入管５０に対向する部分から気体導入管５０に向かって滴下することもある。このようなとき、気体導入管５０の気体取込口６に直接滴下したものを除き、突起５４の外側面５６に滴下した湯水や石鹸水などはその突起５４の外側面５６が有する勾配によって気体導入管５０の基端側に落下する。つまり、気体導入管５０に対向するシャワーケース６０の内側面からの湯水や石鹸水などの気体取込口６への浸入が気体取込口６に直接滴下したものを除き阻まれる。
【００２５】
このように気体導入管５０の先端部に突起５４が設けられているので、外部から気体取込口６への湯水や石鹸水などの浸入が抑えられる。したがって、水成分中のカルシウムなどに起因する水垢や石鹸カスなどで気体吸入部７に目詰まりが生じて気泡含有水の生成が阻害されるという不具合を低減することができる。
【００２６】
気液混合部材２０では、第２導入流路２１と気体導入管５０の通気路５１の出口５３との間に、断面が円形である連通路２６が内部に形成されている。この連通路２６も気体導入管５０とともに気体吸入部７を構成する。気体導入管５０の通気路５１は、連通路２６を介して第２導入流路２１と連通している。
【００２７】
このような気液混合部材２０は、第２導入流路２１の出口２３側の端部が、本体１０の基端側に形成された凹部１５に嵌合して固定され、本体１０の基端側方に突出している。凹部１５では、本体１０と気液混合部材２０の間にＯリング１６が介設され、本体１０と気液混合部材２０の間の水密性が確保されている。
【００２８】
ヘッドカバー３０は、本体１０の長さ方向の先端部に対応する縦長形状を有している。ヘッドカバー３０は、板状部３１を有している。板状部３１は、その外形形状が縦長形状であり、長さ方向両端部が円弧状に形成され、幅方向両端部の両辺が互いに平行に形成され、平面視略楕円状の形状を有している。板状部３１の表面３２は、曲面形状を有している。具体的には、長さ方向に凹状に反った形状を有し、幅方向に凸状に湾曲した形状を有している。板状部３１の裏面３３は、平面形状を有している。したがって、板状部３１の厚さは、表面形状に対応して異なっている。このようなヘッドカバー３０の板状部３１の表面形状は、本実施形態の形状に限らず、デザイン性の観点から、凸曲面形状、凹曲面形状、凹凸曲面形状など様々な表面形状であってよい。
【００２９】
また、板状部３１には、複数の円形の散水孔３４が、板状部３１の表裏を貫通して形成されている。このようなヘッドカバー３０は、硬質の樹脂や金属などから形成することができ、剛性を有している。
【００３０】
散水プレート４０は、ヘッドカバー３０に対応する大きさの平板部４１を有している。平板部４１は、全体にわたって均一な厚さを有している。平板部４１の表面４２には、円筒状の形状を有する複数の散水突起４４が立設されている。散水突起４４の外径は、ヘッドカバー３０の散水孔３４の内径とほぼ同じ大きさとされ、かつ散水突起４４は、ヘッドカバー３０の散水孔３４の配置と同一とされている。このような散水突起４４は、その一つずつが、散水孔３４の各一つに挿入可能とされている。また、散水突起４４の突起長さは、対応する散水孔３４が形成されている板状部３１の厚さを一定量越える長さを有していてもよいし、板状部３１の厚さと同程度であってもよい。
【００３１】
散水プレート４０では、散水突起４４の先端から平板部４１の裏面４３まで貫通する吐出孔４５が形成されている。このような散水プレート４０は、たとえば、ゴムや軟質の樹脂などから形成することができ、弾性を有している。
【００３２】
散水プレート４０は、散水突起４４の一つずつをヘッドカバー３０の散水孔３４の各一つに挿入してヘッドカバー３０の裏面３３に取り付けられる。取付状態では、散水プレート４０の平板部４１の表面４２はヘッドカバー３０の板状部３１の裏面３３に重なり合う。硬質のヘッドカバー３０と散水プレート４０の弾性とによって、散水プレート４０のヘッドカバー３０への取付状態は安定に保持される。湯水の吐出の際に水圧が加わっても、散水プレート４０の取付位置にずれが生じるのが抑制される。
【００３３】
ヘッドカバー３０は、散水プレート４０が板状部３１の裏面３３に取り付けられた状態において、本体１０の正面側に取り付けられる。その取り付けは、嵌合、ビスなどの固着具を用いた固着などによって実現可能であり、Ｏリングなどを介在させることによって水密性を高めることもできる。取付状態では、散水プレート４０の平板部４１の裏面４３が押さえ部として機能する支持部１４の先端部で押さえ付けられる。これによって、散水プレート４０の平板部４１の表面４２がヘッドカバー３０の板状部３１の裏面３３に密着し、散水プレート４０をより安定して保持することができる。こうして散水プレート４０のヘッドカバー３０への取付状態をより確実なものとすることができる。
【００３４】
取付状態では、散水プレート４０の平板部４１の裏面４３と支持部１４との当接によって、本体１０の表面１８と散水プレート４０の平板部４１の裏面４３との間に、湯水の流入流路１７が形成される。流入流路１７は、流出孔１２を通じて第１導入流路１１と連通する。また、散水プレート４０の吐出孔４５は、流入流路１７と連通する。したがって、シャワーヘッド１は、第１導入流路１１に導入された湯水を各吐出孔４５からシャワーとして噴出することができる。
【００３５】
ヘッド本体２がシャワーケース６０内に収納された状態では、気体が流通する気体流通路５が、ヘッド本体２とシャワーケース６０との間に形成されている。具体的には、ヘッド本体２の気液混合部材２０とシャワーケース６０との間の隙間が、気体流通路５となっている。気体流通路５には、シャワーヘッド１の基端側のシャワーホース接続部付近から空気などの気体が導入される。この気体流通路５に気体導入管５０の気体取込口６が臨むように、ヘッド本体２がシャワーケース６０内に配置される。本実施形態では、気体導入管５０の気体取込口６が背面側シャワーケース６２と対峙して気体流通路５に臨むように、ヘッド本体２が配置されている。
【００３６】
背面側シャワーケース６２には、気体取込口６に対向する部分に、内外に貫通する断面が円形の開口部６３が設けられている。この開口部６３は、気体吸入部７のメンテナンス用に設けられている。
【００３７】
シャワーヘッド１の使用時に水成分中のカルシウムなどに起因する水垢や石鹸カスなどの異物で気体導入管５０の通気路５１や連通路２６に目詰まりが生じることがある。このようなとき気液混合部材２０での気泡含有水の生成が阻害されるため、通気路５１や連通路２６など気体吸入部７の清掃が必要である。本実施形態では、メンテナンス用の開口部６３が設けられているので、この開口部６３にブラシなどの掃除具をシャワーケース６０の外部から挿入し、気体取込口６に差し込んで通気路５１や連通路２６など気体吸入部７を清掃すればよい。開口部６３は、気体吸入部７を清掃可能に掃除具を差し込める程度の大きさ及び形状に形成されていればよい。本実施形態では、開口部６３は、断面が円形であって、気体導入管５０の気体取込口６の大きさと一致する大きさに形成されている。
【００３８】
シャワーケース６０において開口部６３が形成される位置は、シャワーケース６０内に収められるヘッド本体２の気体導入管５０の気体取込口６の配置によって定まる。このため、気体取込口６の配置によってはシャワーケース６０の正面側に開口部６３が形成されることもある。外部から開口部６３への湯水や石鹸水などの異物の浸入をより低減するためにも、本実施形態のようにシャワーケース６０の背面側に開口部６３が形成されるように気体導入管５０の気体取込口６を配置することが好ましい。
【００３９】
本実施形態ではこのようなメンテナンス用の開口部６３がシャワーケース６０に設けられているため、シャワーケース６０からヘッド本体２を取り出すなどシャワーヘッド１を分解することなく、気体吸入部７を容易にメンテナンスすることができる。
【００４０】
シャワーヘッド１には、シャワーケース６０の開口部６３を閉塞するカバー部材７０が取り外し自在に設けられていてもよい。カバー部材７０で開口部６３を閉塞することにより、シャワーケース６０の外部から開口部６３を介しての気体吸入部７への石鹸水などの浸入を抑制することができる。このようなカバー部材７０は、たとえば、ゴムや軟質の樹脂等で形成可能である。
【００４１】
カバー部材７０は、図４に示すように、平面視略矩形状で平板状に形成されている板状部７１と、この板状部７１の内側面に形成されている柱状の突起部７２とを有する。突起部７２は、シャワーケース６０の開口部６３に嵌合可能に形成され、開口部６３との嵌合により開口部６３を閉塞する。また、突起部７２は、開口部６３から取り外し自在とされている。突起部７２は、開口部６３の内径よりやや大きい外径を有しており、その先端部は、開口部６３内への差し込みを容易にするために、先端に向かうにしたがって径が小さくなるように形成されている。突起部７２が開口部６３内に差し込まれたときには、突起部７２と開口部６３との嵌合により、突起部７２と開口部６３との間の水密性が確保される。突起部７２の外径を開口部６３の内径と同程度もしくはやや小さい外径にすることもできる。この場合、突起部７２と開口部６３の間の水密性を確保するために、突起部７２と開口部６３との間にＯリングを介設することができる。
【００４２】
突起部７２がシャワーケース６０の開口部６３に差し込まれて開口部６３が閉塞された状態において、カバー部材７０の板状部７１の外側面とカバー部材７０が配置される付近のシャワーケース６０の外側面が同一平面上に配置されるようにすることが好ましい。同一平面上に配置して外側面の凹凸を低減することで、石鹸カスなどの異物が溜まりにくくなる。カバー部材７０付近に溜まる異物が減少するので、カバー部材７０の周縁から開口部６３内に浸入する異物も減少する。また、カバー部材７０を目立たなくすることもでき、シャワーケース６０の外観の低下を低減することができる。
【００４３】
このようにカバー部材７０の板状部７１の外側面とカバー部材７０が配置される付近のシャワーケース６０の外側面が同一平面上に配置されるようにするには、次のようにすればよい。すなわち、シャワーケース６０においてカバー部材７０が配置される部分の厚みをカバー部材７０の板状部７１の厚みの分だけ他の部分より薄くし、カバー部材７０が配置される部分のシャワーケース６０の外側面を他の部分の外側面よりも一段低くすればよい。
【００４４】
本実施形態では、また、カバー部材７０がシャワーケース６０に連結されている。より詳細には、カバー部材７０は、次のとおりの構成となっている。カバー部材７０には、板状部７１の端部の内側面に、突起部７２よりも長さが長い円柱状の連結部７３が設けられている。連結部７３の先端部にはシャワーケース６０の内側面と係合可能な係合突起７４が形成されている。シャワーケース６０には、開口部６３の付近に、内外に貫通する、断面が円形の係合孔６４が設けられている。この係合孔６４にカバー部材７０の連結部７３が差し込まれて係合突起７４がシャワーケース６０の内部に配置されるように、カバー部材７０がシャワーケース６０に取り付けられている。連結部７３の外径及び係合孔６４の内径は、連結部７３と係合孔６４との間の水密性が確保されるように適宜設定される。連結部７３と係合孔６４との間にＯリングを介設して水密性を確保してもよい。
【００４５】
カバー部材７０は、図４（ａ）（ｂ）に示すように、連結部７３の長さの分だけその長さ方向に移動自在である。連結部７３の先端部にシャワーケース６０の内側面と係合可能な係合突起７４が形成されているので、連結部７３の長さを超えてカバー部材７０が移動することはないし、シャワーケース６０との連結が解かれることもない。カバー部材７０は、また、突起部７２がシャワーケース６０の開口部６３から外れた状態において連結部７３を軸に回動自在である（図５（ａ）（ｂ））。
【００４６】
気体吸入部７のメンテナンスを行う際には、カバー部材７０を連結部７３の長さ方向に外方に移動させて開口部６３から突起部７２を取り外す。このままでは開口部６３の直上にカバー部材７０が位置するため、開口部６３内への掃除具の挿入を容易にするために、連結部７３を軸にカバー部材７０を回動させることによりカバー部材７０を側方にずらす（図５（ｂ））。次いで、掃除具を開口部６３に挿入して気体吸入部７の清掃を行う。気体吸入部７のメンテナンス終了後は、逆の手順でカバー部材７０を取り付けて開口部６３を閉塞すればよい。
【００４７】
本実施形態ではカバー部材７０がシャワーケース６０に連結されているので、カバー部材７０を取り外した際の不注意によるカバー部材７０の紛失を防止できる。カバー部材７０が意図せずに開口部６３から外れた際にもカバー部材７０の紛失を防止できる。
【００４８】
以上のとおりのシャワーヘッド１は、気泡含有水を散水部４から吐出することができる。シャワーヘッド１は、湯水が通過するシャワーホースなどの通水管と気液混合部材２０の第２導入流路２１の入口２２において接続される。通水管を通じて気液混合部材２０の第２導入流路２１内に導入された湯水は、加圧部２４を通過するときに一旦加圧され、次いで減圧部２５を通過するときに減圧される。このときの減圧にともなって、気体流通路５の気体が、気体取込口６となる入口５２を通じて気体導入管５０の通気路５１内に吸引される。吸引された気体は、出口５３から連通路２６を通って第２導入流路２１内に導入された湯水中に気泡として混入し、気泡含有水が生成される。
【００４９】
気泡含有水としての湯水は、第２導入流路２１の出口２３から入口１３を通じて第１導入流路１１内に導入される。第１導入流路１１内に導入された湯水は、流出孔１２を通じて流入流路１７に導入される。最終的に、気泡含有水としての湯水は、吐出孔４５を通じてシャワーヘッド１の外部に吐出される。シャワーヘッド１から吐出される気泡含有水は、高い洗浄機能などを有している。
【００５０】
シャワーヘッド１の使用に伴って正面側シャワーケース６１と背面側シャワーケース６２のケース合わせ面から湯水や石鹸水などがシャワーケース６０内部に浸入することがある。このようなとき、気体導入管５０の先端部に突起５４が設けられているので、気体取込口６への湯水や石鹸水などの浸入を抑えることができる。こうして水成分中のカルシウムなどに起因する水垢や石鹸カスなどで気体吸入部７に目詰まりが生じて気泡含有水の生成が阻害されるという不具合を低減することができる。
【符号の説明】
【００５１】
１  シャワーヘッド
２  ヘッド本体
３  気泡含有水生成部
４  散水部
５  気体流通路
６  気体取込口
７  気体吸入部
５４  突起
６０  シャワーケース
【図１】
2015112145.tif 000003
【図２】
2015112145.tif 000004
【図３】
2015112145.tif 000005
【図４】
2015112145.tif 000006
【図５】
2015112145.tif 000007